(57)【要約】【課題】  簡単かつ安価に製造できるとともに、機械的な雑音の発生を軽減する。【解決手段】  ドーム部品４２及び基板（支持板）４１は、支持部２４，２５に固定される。ドーム部品４２は、ドーム状に形成されて軸心方向の一端部からの押圧により弾性変形するドーム部４２ａ及びドーム部４２ａの軸心方向の他端部にて外側に延設されたベース部４２ｂを有し、弾性体により一体形成されている。基板４１は、一方の面をベース部４２ｂのドーム部４２ａと反対側の面に当接させてドーム部品４２を支持する。支持部２４，２５は、基板４１の一方の面とは異なる他方の面に係合する係合部２４ｂ，２５ｂ、及びベース部４２ｂのドーム部４２ａ側の面に当接させる当接面を有し、基板４１及びベース部４２ｂを係合部２４ｂ，２５ｂと当接面との間に挟んで、ドーム部品４２及び基板４１を固定する。【選択図】  図３
2015185271.tif 000002
【特許請求の範囲】
【請求項１】
ドーム状に形成されて軸心方向の一端部からの押圧により弾性変形するドーム部、及び前記ドーム部の軸心方向の他端部にて外側に延設されたベース部を有し、弾性体により一体形成されたドーム部品と、
一方の面を前記ベース部の前記ドーム部と反対側の面に当接させて前記ドーム部品を支持する支持板と、
前記支持板の一方の面とは異なる他方の面に係合する係合部、及び前記ベース部の前記ドーム部側の面に当接させる当接面を有し、前記支持板及び前記ベース部を前記係合部と前記当接面との間に挟んで、前記ドーム部品及び前記支持板を固定する支持部材とを備え、
操作子の操作による前記ドーム部の軸心方向の一端部からの押圧により、前記操作子の操作に連動して前記ドーム部を弾性変形させるようにしたことを特徴とする操作子連動装置。
【請求項２】
前記支持部材は、前記当接面から突出した棒状の突出部を有し、かつ  
前記ベース部には、前記突出部が侵入する第1の孔が設けられていることを特徴とする請求項１に記載した操作子連動装置。
【請求項３】
前記突出部は、前記第１の孔に圧入されていることを特徴とする請求項２に記載した操作子連動装置。
【請求項４】
前記第１の孔は、前記ベース部を貫通する孔であり、
前記突出部は、前記第１の孔を貫通して前記ベース部から突出しており、かつ
前記支持板には、前記突出部が侵入する第２の孔が設けられていることを特徴とする請求項２又は３に記載した操作子連動装置。
【請求項５】
前記支持板は、前記ベース部と当接する側の面から突出した棒状の突出部を有し、かつ
前記ベース部には、前記突出部が侵入する第1の孔が設けられていることを特徴とする請求項１に記載した操作子連動装置。
【請求項６】
前記第１の孔は、前記ベースを貫通する孔であり、
前記突出部は、前記第１の孔を貫通して前記ベース部から突出しており、かつ
前記支持部材には、前記突出部が侵入する第２の孔が設けられていることを特徴とする請求項５に記載した操作子連動装置。
【請求項７】
前記ドーム部品は、前記ベース部における前記支持板に当接する側の面から突出した棒状の突出部を有し、かつ
前記支持板には、前記突出部が侵入する孔が設けられていることを特徴とする請求項１に記載した操作子連動装置。
【請求項８】
前記ドーム部の軸心は、垂直方向に対して傾いている請求項１乃至７のうちのいずれか一つに記載した操作子連動装置。
【発明の詳細な説明】
【技術分野】
【０００１】
本発明は、操作子の操作に連動してドーム部品のドーム部を弾性変形させるようにした操作子連動装置に関する。
【背景技術】
【０００２】
従来から、操作子の操作に連動してドーム部品のドーム部を弾性変形させる操作子連動装置はよく知られている。例えば、下記特許文献１には、弾性体により構成されたドーム部品であるドーム状のスイッチ（ラバードームスイッチ）を上面に固定した基板を、フレームに一体的に設けた保持部で保持させてフレーム上に固定し、鍵の押鍵操作時にドーム部品すなわちスイッチを押圧して変形させるようにした鍵盤装置が示されている。
【先行技術文献】
【特許文献】
【０００３】
【特許文献１】特開２０１１−１７９０５号公報
【発明の概要】
【０００４】
上記従来の装置では、ドーム部品を押圧して変形させる際に、基板とフレームの保持部との間で機械的な衝突が生じて、機械的な雑音が発生することがある。このような問題を解決するためには、基板と保持部との間に緩衝材として不織布を介装させて、前記機械的な雑音の発生を防止することが考えられる。しかし、不織布を介装させることは、不織布自体のコスト及び不織布の介装の手間のために、装置の製造コストが高くなる。
【０００５】
本発明は、このような問題に対処するためになされたもので、その目的は、簡単かつ安価に製造できるとともに、上記のような機械的な雑音の発生を軽減するようにした操作子連動装置を提供することにある。なお、下記本発明の各構成要件の記載においては、本発明の理解を容易にするために、実施形態の対応箇所の符号を括弧内に記載しているが、本発明の構成要件は、実施形態の符号によって示された対応箇所の構成に限定解釈されるべきものではない。
【０００６】
前述した目的を達成するため、本発明の特徴は、ドーム状に形成されて軸心方向の一端部からの押圧により弾性変形するドーム部（４２ａ，４３ａ）、及びドーム部の軸心方向の他端部にて外側に延設されたベース部（４２ｂ，４３ｂ）を有し、弾性体により一体形成されたドーム部品（４２，４３）と、一方の面をベース部のドーム部と反対側の面に当接させてドーム部品を支持する支持板（４１，４４）と、支持板の一方の面とは異なる他方の面に係合する係合部（２４ｂ，２５ｂ）、及びベース部のドーム部側の面に当接させる当接面を有し、支持板及びベース部を係合部と当接面との間に挟んで、ドーム部品及び支持板を固定する支持部材（２４，２５）とを備え、操作子（１１ｗ，１１ｂ）の操作によるドーム部の軸心方向の一端部からの押圧により、操作子の操作に連動してドーム部を弾性変形させるようにしたことにある。
【０００７】
この場合、ドーム部品は、例えば、操作子の操作によりドーム部を変形させて支持板に設けた電気接点をオン・オフするドーム型スイッチ部材であったり、操作子の操作によるドーム部の変形により操作子の操作に対して反力を付与する反力発生部材であったりする。
【０００８】
上記のように構成した本発明においては、弾性体により形成されたベース部が、支持板の一方の面と支持部材の当接面との間に介装されるので、操作子の操作によってドーム部が押圧されたときには、ベース部が、支持板の支持部材に対する動きを吸収して緩和する。したがって、操作子の操作によりドーム部が変形する際における支持板の他方の面と支持部材の係合部との間の衝突による機械的な雑音の発生が軽減される。また、ベース部はドーム部と一体形成されるものであるとともに、ベース部のドーム部と反対側の面が支持板の一方の面に当接させて組み付けられるだけであるので、ドーム部品、支持板及び支持部材からなる操作子連動装置は、簡単かつ安価に製造される。
【０００９】
また、本発明の他の特徴は、支持部材は当接面から突出した棒状の突出部（２４ｃ，２５ｃ）を有し、かつベース部には突出部が侵入する第1の孔（４２ｂ２，４３ｂ２）が設けられていることにある。これによれば、第１の孔を突出部の先端位置に合わせて、突出部を第１の孔に侵入させることにより、ドーム部品を支持部材に簡単に組み付けることができるようになる。
【００１０】
この場合、突出部は、第１の孔に圧入されているとよい。これによれば、ドーム部品が支持部材に仮固定されるので、ドーム部品の支持部材に対する組み付けがより簡単になる。また、ドーム部品の支持部材に対する組み付け位置の精度も向上する。
【００１１】
また、前記本発明の他の特徴において、第１の孔はベース部を貫通する孔であり、突出部は第１の孔を貫通してベース部から突出しており、かつ支持板には突出部が侵入する第２の孔（４１ｂ，４４ｂ）が設けられているとよい。これによれば、ドーム部品の支持部材への組み付け後、第２の孔を突出部の先端位置に合わせて、突出部を第２の孔に侵入させることにより、支持板を支持部材に簡単に組み付けることができるようになるとともに、支持板の支持部材に対する組み付け位置が的確になる。
【００１２】
また、本発明の他の特徴としては、支持板はベース部と当接する側の面から突出した棒状の突出部（４１ｃ）を有し、かつベース部には突出部が侵入する第1の孔（４２ｂ２）が設けられているようにしてもよい。これによれば、第１の孔を突出部の先端位置に合わせて、突出部を第１の孔に侵入させることにより、ドーム部品を支持板に簡単に組み付けることができるようになる。
【００１３】
この場合も、突出部は、第１の孔に圧入されているとよい。これによれば、ドーム部品が支持板に仮固定されるので、ドーム部品の支持板に対する組み付けがより簡単になる。また、ドーム部品の支持板に対する組み付け位置の精度も向上する。
【００１４】
また、前記本発明の他の特徴において、第１の孔はベース部を貫通する孔であり、突出部は第１の孔を貫通してベース部から突出しており、かつ支持部材には突出部が侵入する第２の孔（２４ａ２，２５ａ２）が設けられているとよい。これによれば、ドーム部品の支持板への組み付け後、突出部の先端を第２の孔の位置に合わせて、突出部を第２の孔に侵入させることにより、支持板を支持部材に簡単に組み付けることができるようになるとともに、支持板の支持部材に対する組み付け位置が的確になる。
【００１５】
また、本発明の他の特徴としては、ドーム部品はベース部における支持板に当接する側の面から突出した棒状の突出部（４２ｂ５）を有し、かつ支持板には突出部が侵入する孔（４１ｂ）が設けられているとよい。これによれば、突出部の先端を孔の位置に合わせて、突出部を孔に侵入させることにより、ドーム部品を支持板に簡単に組み付けることができるようになる。
【００１６】
この場合も、突出部は孔に圧入されているとよい。これによれば、ドーム部品が支持板に仮固定されるので、ドーム部品の支持板に対する組み付けがより簡単になる。また、ドーム部品の支持板に対する組み付け位置の精度も向上する。
【００１７】
さらに、本発明の他の特徴は、ドーム部の軸心が、垂直方向に対して傾いていることにある。これによれば、ドーム部が押圧される方向が垂直方向でなくても、押圧方向とドーム部の軸心方向とを一致させることができ、ドーム部が良好に変形するようになる。
【図面の簡単な説明】
【００１８】
【図１】本発明の第１実施形態に係る鍵盤装置の概略側面図である。
【図２】図１の鍵盤装置の概略平面図である。
【図３】（Ａ）は図２の３−３線に沿って見たドーム部品部分の拡大縦断面図であり、（Ｂ）は（Ａ）の前側支持部を下方から見た拡大斜視図である。
【図４】（Ａ）はドーム部品単体の上面図であり、（Ｂ）はドーム部品単体の下面図である。
【図５】基板単体の上面図である。
【図６】本発明の第２実施形態に係るドーム部品部分の拡大縦断面図である。
【図７】本発明の第３実施形態に係るドーム部品部分の拡大縦断面図である。
【図８】本発明の第４実施形態に係るドーム部品部分の拡大縦断面図である。
【図９】前記第４実施形態の変形例１に係るドーム部品部分の拡大縦断面図である。
【図１０】前記第４実施形態の変形例２に係るドーム部品部分の拡大縦断面図である。
【発明を実施するための形態】
【００１９】
ａ．第１実施形態
以下、本発明の第１実施形態について図面を用いて説明する。図１は第１実施形態に係る鍵盤装置を右から見た概略側面図であり、図２は前記鍵盤装置の概略平面図である。なお、図１においては、鍵盤装置の前後方向（以下、単に前後方向という）を紙面の左右方向とし、鍵盤装置の左右方向（以下、単に左右方向という）を紙面の直交方向とする。
【００２０】
この鍵盤装置は、演奏者によって押離鍵操作される複数の白鍵１１ｗ及び複数の黒鍵１１ｂを備えている。白鍵１１ｗは、前後方向に長尺状に形成されるとともに下方を開放させた断面コ字状に形成されて、鍵フレーム２０の平板状の上板部２１上に配置されている。鍵フレーム２０は、上板部２１の前端及び後端から下方に延設された平板状の脚部２２，２３を有し、脚部２２，２３の下端部分にて楽器内に設けたフレームＦＲ上に固定されている。鍵フレーム２０は、樹脂などにより一体形成されている。鍵フレーム２０の上板部２１の後端部の上面上には、白鍵１１ｗの内側にて対向する一対の板状の鍵支持部３１が立設固定されている。鍵支持部３１の上部には、互いに対向する位置にてそれぞれ外側に突出した円柱状の突出部３１ａが設けられ、突出部３１ａを白鍵１１ｗの両側面の後端部に設けた貫通孔に内側から回転可能に侵入させている。これにより、白鍵１１ｗは、突出部３１ａの中心軸回りに揺動可能に支持され、前端部を上下方向に変位させる。黒鍵１１ｂは、前部上面が高くなっている形状こそ異なるが、他の構成は白鍵１１ｗと同様である。そして、黒鍵１１ｂも、鍵支持部３１の突出部３１ａの中心軸回りに揺動可能に支持されて、揺動により前端部を上下方向に変位させる。
【００２１】
鍵フレーム２０の上板部２１の上面には、白鍵１１ｗの前端部の下方位置にて鍵ガイド３２ｗが立設しており、黒鍵１１ｂの前端部の下方位置にて鍵ガイド３２ｂが立設している。鍵ガイド３２ｗ，３２ｂは白鍵１１ｗ及び黒鍵１１ｂ内にそれぞれ摺動可能に侵入しており、白鍵１１ｗ及び黒鍵１１ｂは、それらの上下方向の揺動時に左右方向に変位しないようになっている。
【００２２】
鍵盤装置は、鍵支持部３１の前方位置にて、白鍵１１ｗ及び黒鍵１１ｂと、鍵フレーム２０の上板部２１との間にそれぞれ組み込まれた白鍵１１ｗ及び黒鍵１１ｂ用のコイル状のスプリング３３ｗ，３３ｂを備えている。スプリング３３ｗ，３３ｂは、白鍵１１ｗ及び黒鍵１１ｂを上板部２１に対して上方に付勢している。なお、これらのスプリング３３ｗ，３３ｂは、コイル状でなくても、白鍵１１ｗ及び黒鍵１１ｂを上方に付勢することができれば、板ばねのようなスプリングでもよい。
【００２３】
白鍵１１ｗは、その前端部から下方に延設させた延設部１１ｗ１を備え、延設部１１ｗ１の下端には前方に突出させた係合部１１ｗ２が設けられている。係合部１１ｗ２は、鍵フレーム２０の上板部２１に設けた貫通孔を介して、上板部２１の下方に上方から侵入している。また、鍵フレーム２０の上板部２１の前端部下面には、上限ストッパ部材３４ｗが設けられている。上限ストッパ部材３４ｗは、フェルトのような緩衝部材により構成されており、白鍵１１ｗの係合部１１ｗ２との当接により、白鍵１１ｗの前端部の上方への変位を規制する。また、鍵フレーム２０の上板部２１の前端部上面には、下限ストッパ部材３５ｗが設けられている。下限ストッパ部材３５ｗも、フェルトのような緩衝部材により構成されており、白鍵１１ｗの前端部下面との当接により、白鍵１１ｗの前端部の下方への変位を規制する。
【００２４】
黒鍵１１ｂは、その前端部から下方に延設させた延設部１１ｂ１を備え、延設部１１ｂ１の下端には後方に突出させた係合部１１ｂ２が設けられている。係合部１１ｂ２は、鍵フレーム２０の上板部２１に設けた貫通孔を介して、上板部２１の下方に上方から侵入している。また、鍵フレーム２０の上板部２１の中間部下面には、上限ストッパ部材３４ｂが設けられている。上限ストッパ部材３４ｗも、フェルトのような緩衝部材により構成されており、黒鍵１１ｂの係合部１１ｂ２との当接により、黒鍵１１ｂの前端部の上方への変位を規制する。また、鍵フレーム２０の上板部２１の前後方向における中間部上面には、下限ストッパ部材３５ｂが設けられている。下限ストッパ部材３５ｂも、フェルトのような緩衝部材により構成されており、黒鍵１１ｂの前端部下面との当接により、黒鍵１１ｂの前端部の下方への変位を規制する。
【００２５】
鍵フレーム２０の上板部２１の下方には、スプリング３３ｗ，３３ｂと上限ストッパ部材３４ｂとの間の位置にて、一つの基板４１及び複数のドーム部品４２が組み付けられている。基板４１及びドーム部品４２は、上板部２１と一体形成された前側支持部２４及び後側支持部２５により上板部２１に固定されている。これらの基板４１、ドーム部品４２、前側支持部２４及び後側支持部２５について、図２乃至図５を用いて詳しく説明する。
【００２６】
図２は、基板４１、ドーム部品４２、前側支持部２４及び後側支持部２５の各部の平面的な位置関係を示している。図３（Ａ）は、図２の３−３線に沿って見た基板４１、ドーム部品４２、前側支持部２４、後側支持部２５などの部分の拡大縦断面図である。図３（Ｂ）は前側支持部２４を下方から見た拡大斜視図である。図４（Ａ）はドーム部品４２単体の上面図であり、図４（Ｂ）はドーム部品４２単体の下面図である。図５は、基板４１単体の上面図である。
【００２７】
基板４１は、平板状かつ長方形状に形成されるとともに長手方向（図５の上下方向）を左右方向にして配置されて、電子部品、配線パターンなどが配置された回路基板である。しかし、電子部品は本発明には直接関係しないので、基板４１上の電子部品、配線パターンなどに関しては図示省略されている。基板４１の上面には、白鍵１１ｗ及び黒鍵１１ｂにそれぞれ対応した左右方向（図５では上下方向）に１列に配置された複数の電気接点４１ａが設けられている。各電気接点４１ａは、短い距離を隔てて設けられた導電性の金属からなる一対の電気接点からなり、複数の電気接点４１ａは、図示しない配線パターンにより、一対の電気接点のオン・オフを検出する電子部品にそれぞれ接続されている。基板４１には、電気接点４１ａの両側にて、所定の間隔をもって左右方向（図５では上下方向）に沿って２列に配置された複数の円形の貫通孔４１ｂが設けられている。なお、基板４１は、全ての白鍵１１ｗ及び黒鍵１１ｂに対して共通の一枚の回路基板であってもよいし、所定の複数の白鍵１１ｗ及び黒鍵１１ｂに対応させた複数枚の回路基板であってもよい。この点に関しては、他の実施形態及び変形例でも同様である。なお、この基板４１が本発明の支持板に対応する。
【００２８】
複数のドーム部品４２は、弾性体（例えばゴム）でそれぞれ一体形成されている。各ドーム部品４２は、複数の白鍵１１ｗ及び黒鍵１１ｂにそれぞれ対応した位置にて、左右方向（図４では上下方向）に１列に配置された複数のドーム部（スカート部）４２ａを有する。各ドーム部４２ａは、上部から下方に向かって軸心回りの径（径方向長さ）を全周に渡って徐々に増加させて、上方からの押圧により変形し易い薄肉のドーム状（スカート状）に形成されており、下端部を円形に開口させている。ドーム部４２ａの軸心に直交する断面形状は円形である。なお、第１実施形態では、１つのドーム部品４２に５つのドーム部４２ａを有する例を示しているが、このドーム部４２ａの数、形状などは適宜変更してもよい。この点に関しては、他の実施形態及び変形例でも同様である。
【００２９】
複数のドーム部４２ａの下面は、１つのベース部４２ｂの上面に連続して接続されている。ベース部４２ｂは、比較的厚肉に平板状に形成され、かつドーム部４２ａを中心に前後方向（図４では左右方向）に所定幅を有する長方形状である。べース部４２ｂの厚さは全体に渡って均等であり、べース部４２ｂの上面及び下面は平面である。ベース部４２ｂの前後方向の幅は基板４１の前後方向の幅よりも小さい。このベース部４２ｂには、複数のドーム部４２ａの下端内周面を延長した位置にて、左右方向（図４（Ｂ）では上下方向）に一列に配置された複数の貫通孔４２ｂ１が設けられている。また、ベース部４２ｂには、基板４１の複数の貫通孔４１ｂに対応した位置には、複数の円形の貫通孔４２ｂ２が設けられている。貫通孔４２ｂ２の直径は、貫通孔４１ｂの直径よりも小さい。ベース部４２ｂの下面には、貫通孔４２ｂ１間を連通させるとともに、左右両端（図４（Ｂ）では上下両端）を外部に連通させた溝４２ｂ３が形成されている。この溝４２ｂ３は、ドーム部品４２を基板４１上に当接させた状態で、ドーム部４２ａを変形させたとき、ドーム部４２ａ内部の外部に対する空気の給排をスムーズに行うために設けられている。
【００３０】
各ドーム部４２ａの上端には、上方に延設されたトップ部４２ｃがその下面にて連続して接続されている。トップ部４２ｃはドーム部４２ａに比べて厚肉に円筒状に形成されている。このトップ部４２ｃの上面は、白鍵１１ｗ及び黒鍵１１ｂと一体的に形成された押圧部１１ｗ３，１１ｂ３に対向するように配置されている（図１参照）。押圧部１１ｗ３，１１ｂ３は、白鍵１１ｗ及び黒鍵１１ｂの下面から突出させた棒状の突出部材である。また、上板部２１には、押圧部１１ｗ３，１１ｂ３及びトップ部４２ｃが内周面に接触することなく貫通可能な貫通孔２１ａが設けられている。そして、白鍵１１ｗ及び黒鍵１１ｂの押鍵時には、押圧部１１ｗ３，１１ｂ３は、トップ部４２ｃの上面を下方に押圧する。
【００３１】
各ドーム部４２ａの上端には、下方に延設された突出部４２ｄがその上面にて連続して接続されている。突出部４２ｄの上部は、その外形が円錐台状であって上側内部に空間を有するように薄肉に形成されている。突出部４２ｄの下部は、ドーム部４２ａに比べて厚肉に円柱状に形成されている。そして、ベース部４２ｂの貫通孔４２ｂ１、ドーム部４２ａ及び突出部４２ｄにより、基板４１上にドーム状の空間を形成している。突出部４２ｄの下部の下面には、導電性材料（例えばカーボン）を塗布した薄膜のスイッチ部４２ｅが設けられている。このスイッチ部４２ｅは、白鍵１１ｗ及び黒鍵１１ｂの押鍵時に、ドーム部４２ａの変形により基板４１に設けた電気接点４１ａをオンさせるものである。電気接点４１ａは、前述のように、図示しない配線パターンを介して電子部品に接続されており、スイッチ部４２ｅ及び電気接点４１ａは、白鍵１１ｗ及び黒鍵１１ｂの押離鍵操作を検出する機能を有する。なお、この押離鍵操作の検出は、楽音信号の発生制御に利用される。
【００３２】
鍵フレーム２０の上板部２１の下面には、ドーム部４２ａを挟んで前後２列に左右方向に延設されて、上板部２１と一体的に形成された前側支持部２４及び後側支持部２５が設けられている。前側支持部２４は、本体部２４ａ、係合部２４ｂ及び突出部２４ｃからなる。本体部２４ａは、縦断面形状を長方形とする左右方向に長尺状の部材であり、上板部２１の下面から連続的に下方に延設されて上板部２１と一体形成されている。ドーム部品４２におけるベース部４２ｂの上面に当接する本体部２４ａの下面は水平平面であり、下面の適当な複数の位置には円錐状の突起２４ａ１（図３（Ｂ）の下方から見た拡大斜視図参照）が設けられている。基板４１及びドーム部品４２が前側支持部２４及び後側支持部２５に組み付けられた状態では、本体部２４ａの下面はベース部４２ｂの上面に当接し、突起２４ａ１はベース部４２ｂの上面を下方に押し込んでいる。この本体部２４ａの下面が本発明の支持部材の当接面に相当する。なお、図２においては、係合部２４ｂ、突出部２４ｃ及び突起２４ａ１の位置、及び後述する係合部２５ｂ、突出部２５ｃ及び突起２５ａ１の位置を明確にするために、本体部２４ａ，２５ａの外形は図示省略されている。
【００３３】
係合部２４ｂは、左右方向に適当な間隔をおいて、本体部２４ａの前端の複数個所に設けられている。係合部２４ｂは、本体部２４ａの下面前端から下方に垂直に延設させた垂直部と、垂直部の下端から後方に水平に延設させた水平部とからなるＬ字状に形成されており、水平部の上面にて基板４１の前端部の下面を支持する。なお、係合部２４ｂの水平部の前側部分の上面は基板４１を水平に維持するために水平平面であるが、水平部の後側部分の上面は基板４１を後方の下方から斜めに挿入するために後方を低くして傾斜している。
【００３４】
突出部２４ｃは、本体部２４ａの下面後部であってドーム部品４２の貫通孔４２ｂ２及び基板４１の貫通孔４１ｂの位置にて、下方に垂直に延設されている。突出部２４ｃは、その横断面形状が円形であって、その先端部を半球状に形成した棒状部材であり、ベース部４２ｂの貫通孔４２ｂ２及び基板４１の貫通孔４１ｂを貫通して基板４１の下方に突出している。この突出部２４ｃの先端部を除く部分の直径は、ドーム部品４２の貫通孔４２ｂ２の直径より僅かに大きく、基板４１の貫通孔４１ｂの直径よりも小さい。
【００３５】
後側支持部２５も、本体部２５ａ、係合部２５ｂ及び突出部２５ｃからなる。本体部２５ａは、縦断面形状を略長方形とする左右方向に長尺状の部材であり、上板部２１の下面から連続的に下方に延設されて上板部２１と一体形成されている。ドーム部品４２におけるベース部４２ｂの上面に当接する本体部２５ａの下面は水平平面であり、下面の適当な複数の位置には円錐状の突起２５ａ１（図３（Ｂ）の突起２４ａ１と同じ）が設けられている。本体部２５ａの下面の高さは、前側支持部２４の本体部２４ａの下面の高さと同じに設定されている。この場合も、基板４１及びドーム部品４２が前側支持部２４及び後側支持部２５に組み付けられた状態では、本体部２５ａの下面はベース部４２ｂの上面に当接し、突起２５ａ１はベース部４２ｂの上面を下方に押し込んでいる。そして、この本体部２５ａの下面も本発明の支持部材の当接面に相当する。
【００３６】
係合部２５ｂは、左右方向に適当な間隔をおいて、本体部２５ａの後端の複数個所に設けられている。係合部２５ｂは、本体部２４ａの後端から下方に垂直に延設させた垂直部と、垂直部の下端から前方に若干突出した突起部とからなる。係合部２５ｂの垂直部は、本体部２５ａの後端面から離されて係合部２４ｂに比べて長尺に形成され、前後方向に変形し易くなっている。係合部２５ｂの突起部の縦断面形状は下方に突状の略３角形であり、その上面は基板４１をその後端部の下面を水平に維持するために水平平面であり、その前側面は基板４１を下方から押入れ易くするために下方を後側に位置させて傾斜している。係合部２５ｂの突起部の上面の前方への突出量は、前記前側支持部２４の係合部２４ｂの水平部の後方への突出量よりも少ない。係合部２５ｂの突起部の上面の高さは、前側支持部２４の係合部２４ｂの水平部の上面の高さに等しい。
【００３７】
突出部２５ｃは、本体部２４ａの下面前部であってドーム部品４２の貫通孔４２ｂ２及び基板４１の貫通孔４１ｂの位置にて、下方に垂直に延設されている。突出部２５ｃは、その横断面形状が円形であって、その先端部を半球状に形成した棒状部材であり、ベース部４２ｂの貫通孔４２ｂ２及び基板４１の貫通孔４１ｂを貫通して基板４１の下方に突出している。この突出部２５ｃの先端部を除く部分の直径も、ドーム部品４２の貫通孔４２ｂ２の直径より僅かに大きく、基板４１の貫通孔４１ｂの直径よりも小さい。
【００３８】
なお、第１実施形態では、係合部２４ｂ，２５ｂをドーム部４２ａの左右方向位置に合わせて、１つのドーム部品４２当たり５つずつ設けたが、この数は５つに限らず、適当な数の係合部２４ｂ，２５ｂを設ければよい。また、係合部２４ｂ，２５ｂの左右方向の位置に関しても、ドーム部４２ａの左右方向位置に合わせる必要もない。また、第１実施形態では、突出部２４ｃ及び一つの突起２４ａ１の左右方向位置と、突出部２５ｃ及び一つの突起２５ａ１の左右方向位置とを合わせるようにしたが、これらの左右方向位置を合わせる必要はない。また、突出部２４ｃ，２５ｃ及び突起２４ａ１，２５ａ１の数に関しても、適当な数にすればよい。また、突出部２４ｃ，２５ｃの前後方向の位置に関しても、適当に定めればよい。さらには、突出部２４ｃ，２５ｃ及び貫通孔４１ｂ，４２ｂ２を必ずしも設ける必要はない。そして、これらの点に関しては、他の実施形態及び変形例でも同様である。
【００３９】
このように構成される基板４１及びドーム部品４２の鍵フレーム２０（前側支持部２４及び後側支持部２５）に対する組み付けについて説明しておく。作業者は、まず、複数のドーム部品４２を、それらの貫通孔４２ｂ２の位置を前側支持部２４の突出部２４ｃ及び後側支持部２５の突出部２５ｃの位置に合わせて押し上げ、貫通孔４２ｂ２内に突出部２４ｃ，２５ｃを侵入させるとともにべース部４２ｂから突出させる。そして、ドーム部品４２のベース部４２ｂの上面を前側支持部２４の本体部２４ａの下面及び後側支持部２５の本体部２５ａの下面に押し当てる。この場合、突出部２４ｃ，２５ｃの外径は貫通孔４２ｂ２の内径よりも僅かに大きいので、突出部２４ｃ，２５ｃは貫通孔４２ｂ２に圧入されて、ドーム部品４２は前側支持部２４及び後側支持部２５に仮固定される。
【００４０】
次に、作業者は、基板４１の貫通孔４１ｂを前側支持部２４の突出部２４ｃ及び後側支持部２５の突出部２５ｃの位置に合わせるとともに、基板４１の前端が上方に斜めになるようにして基板４１を下方から持ち上げる。そして、突出部２４ｃ，２５ｃを貫通孔４１ｂに貫通させながら、基板４１の前端部を前側支持部２４の係合部２４ｂの水平部の上面に載置する。その後、作業者は基板４１の後端部を押し上げて、後側支持部２５の係合部２５ｂの突起部の前側面に基板４１の後端上面を押し当て、さらに基板４１の後端部を押し上げる。このとき、係合部２５ｂの垂直部は後方に変形し、最終的に基板４１の後端下面が係合部２５ｂの突起部を乗り越えてその上面に達すると、係合部２５ｂの垂直部の変形は戻り、基板４１の後端部下面は係合部２５ｂの突起部の上面に載置される。これにより、ドーム部品４２及び基板４１が前側支持部２４及び後側支持部２５により鍵フレーム２０の上板部２１に組み付けられる。このように、基板４１の前側支持部２４及び後側支持部２５への組み付け時には、突出部２４ｃ，２５ｃを貫通孔４１ｂに貫通させ、また突出部２４ｃ，２５ｃ及び貫通孔４１ｂは基板４１の前側支持部２４及び後側支持部２５に対する位置決め機能も発揮するので、突出部２４ｃ，２５ｃの先端部を除く部分の直径は貫通孔４１ｂの直径よりも若干小さく、かつ大き過ぎないように設定しておくとよい。
【００４１】
この場合、基板４１とドーム部品４２のベース部４２ｂの合計の厚さは、前側支持部２４及び後側支持部２５の両本体部２４ａ，２５ａの下面から前側支持部２４の係合部２４ｂの水平部の上面及び後側支持部２５の係合部２５ｂの突起部の上面までの距離に等しいか、又は前記距離よりも僅かに大きく設定されている。したがって、ドーム部品４２及び基板４１が鍵フレーム２０の上板部２１に組み付けられた状態では、基板４１の前端部及び後端部は係合部２４ｂ，２５ｂにそれぞれ係合して、基板４１の前端部及び後端部の下面は係合部２４ｂの水平部の上面及び係合部２５ｂの突起部の上面に当接している。また、ドーム部品４２のベース部４２ｂの前側及び後側の両上面は、本体部２４ａ，２５ａの下面に当接している。そして、本体部２４ａ，２５ａに設けた突起２４ａ１，２５ａ１はベース部４２ｂの上面を下方に押し込んだ状態にある。
【００４２】
次に、このように構成した第１実施形態に係る鍵盤装置の動作について説明する。演奏者が白鍵１１ｗ及び黒鍵１１ｂを押し始めると、白鍵１１ｗ及び黒鍵１１ｂはスプリング３３ｗ，３３ｂの反力に抗して、鍵支持部３１の突出部３１ａの軸心回りにそれぞれ揺動を開始し、白鍵１１ｗ及び黒鍵１１ｂの前端部が下方に変位して、係合部１１ｗ２，１１ｂ２の水平部の上面が上限ストッパ部材３４ｗ，３４ｂから離れる。さらに、白鍵１１ｗ及び黒鍵１１ｂが押されると、押圧部１１ｗ３，１１ｂ３の下面はドーム部品４２のトップ部４２ｃの上面に当接してトップ部４２ｃを押圧し、ドーム部品４２のドーム部４２ａが変形して、突出部４２ｄは下方へ変位する。
【００４３】
白鍵１１ｗ及び黒鍵１１ｂがさらに押されると、突出部４２ｄの下面に設けたスイッチ部４２ｅは、基板４１上に設けた電気接点４１ａに当接して電気接点４１ａをオフ状態からオン状態に切換える。これにより、図示しない楽音信号発生回路が楽音信号を発生し始める。そして、白鍵１１ｗ及び黒鍵１１ｂがさらに押されると、白鍵１１ｗ及び黒鍵１１ｂの前端部下面が下限ストッパ部材３５ｗ，３５ｂに当接して、白鍵１１ｗ及び黒鍵１１ｂの前端部の下方への変位は終了する。
【００４４】
その後、白鍵１１ｗ及び黒鍵１１ｂが離鍵されると、スプリング３３ｗ，３３ｂの反力により、白鍵１１ｗ及び黒鍵１１ｂの前端部は下限ストッパ部材３５ｗ，３５ｂの上面から離れて上方に変位する。白鍵１１ｗ及び黒鍵１１ｂの前端部が上方へ変位すると、スイッチ部４２ｅは、電気接点４１ａから離れて電気接点４１ａをオン状態からオフ状態に戻す。この電気接点４１ａのオフにより、図示しない楽音信号発生回路が楽音信号の発生を終了し始める。その後、白鍵１１ｗ及び黒鍵１１ｂの前端部の上方への変位により、係合部１１ｗ２，１１ｂ２の水平部の上面が上限ストッパ部材３４ｗ，３４ｂにふたたびと当接して、白鍵１１ｗ及び黒鍵１１ｂの前端の上方への変位も終了する。
【００４５】
このように構成されかつ動作する第１実施形態に係る鍵盤装置においては、弾性体により形成されたベース部４２ｂが、基板４１の上面と、前側支持部２４の本体部２４ａの下面及び後側支持部２５の本体部２５ａの下面との間に介装されているので、白鍵１１ｗ及び黒鍵１１ｂの押離鍵操作によってドーム部４２ａが押圧されたときには、ベース部４２ｂが基板４１の前側支持部２４及び後側支持部２５に対する上下方向の動きを吸収して緩和する。したがって、第１実施形態によれば、白鍵１１ｗ及び黒鍵１１ｂの押離鍵操作によりドーム部４２ａが変形する際における、基板４１の前端部及び後端部の下面と、前側支持部２４の係合部２４ｂ及び後側支持部２５の係合部２５ｂとの間の衝突による機械的な雑音の発生が軽減される。特に、前側支持部２４及び後側支持部２５の本体部２４ａ，２５ａの下面には突起２４ａ１，２５ａ１が設けられ、この突起２４ａ１，２５ａ１に対応した位置のベース部４２ｂが変形し易くなるので、前記機械的な雑音発生の軽減効果は大きい。
【００４６】
また、ドーム部品４２は一体形成されるものであるとともに、ベース部４２ｂの上面を前側支持部２４及び後側支持部２５の本体部２４ａ，２５ａの下面に当接させるとともに、基板４１の上面をベース部４２ｂの下面に当接させて、ドーム部品４２及び基板４１が係合部２４ｂ，２５ｂにより前側支持部２４及び後側支持部２５に組み付けられるだけであるので、基板４１、ドーム部品４２、前側支持部２４及び後側支持部２５を含む鍵盤装置は、簡単かつ安価に製造される。特に、ベース部４２ｂに設けた貫通孔４２ｂ２を突出部２４ｃ，２５ｃの位置に合わせて、貫通孔４２ｂ２内に突出部２４ｃ，２５ｃを圧入により侵入させることにより、ドーム部品４２は前側支持部２４及び後側支持部２５に仮固定されるので、ドーム部品４２の前側支持部２４及び後側支持部２５に対する組み付けがより簡単になるとともに、ドーム部品４２の前側支持部２４及び後側支持部２５に対する組み付け位置の精度も良好となる。
【００４７】
さらに、基板４１に設けた貫通孔４１ｂを突出部２４ｃ，２５ｃの位置に合わせて、貫通孔４１ｂ内に突出部２４ｃ，２５ｃを侵入させるとともに、係合部２４ｂ，２５ｂにより基板４１を前側支持部２４及び後側支持部２５に固定するようにしたので、基板４１の前側支持部２４及び後側支持部２５に対する組み付けが簡単になるとともに、基板４１の前側支持部２４及び後側支持部２５に対する組み付け位置が的確になる。
【００４８】
なお、前記第１実施形態においては、突出部２４ｃ，２５ｃの先端部を除く部分の直径をベース部４２ｂの貫通孔４２ｂ２の直径よりも僅かに大きくして、突出部２４ｃ，２５ｃを貫通孔４２ｂ２に圧入してドーム部品４２を前側支持部２４及び後側支持部２５に仮固定するようにした。しかし、突出部２４ｃ，２５ｃの先端部を除く部分の直径をベース部４２ｂの貫通孔４２ｂ２の直径とほぼ等しく又は前記直径よりも小さくしてもよい。この場合、基板４１上にドーム部品４２を載置した後に、適切に位置決めして、基板４１及びドーム部品４２を前側支持部２４及び後側支持部２５に組み付け固定するとよい。
【００４９】
また、前記第１実施形態においては、突出部２４ｃ，２５ｃを基板４１の貫通孔４１ｂに貫通させるようにした。しかし、これに代えて、貫通孔４１ｂを用いずに基板４１の位置決めを行うようにすれば、突出部２４ｃ，２５ｃをベース部４２ｂの貫通孔４２ｂ２にのみ侵入させるようにしてもよい。この場合、ベース部４２ｂの貫通孔４２ｂ２に代えて、ベース部４２ｂに突出部２４ｃ，２５ｃが侵入する有底の孔を設けるようにしてもよい。また、基板４１に貫通孔４１ｂを設ける必要もない。これらの場合、突出部２４ｃ，２５ｃの長さは、前記第１実施形態の場合よりも短くなる。
【００５０】
ｂ．第２実施形態
次に、図６を用いて、本発明の第２実施形態に係る鍵盤装置について説明する。図６は、図３（Ａ）の縦断面図に対応させて、第２実施形態に係る鍵盤装置の基板４１、ドーム部品４２、前側支持部２４、後側支持部２５などの部分の拡大縦断面図である。この第２実施形態に係る鍵盤装置においては、上記第１実施形態の突出部２４ｃ，２５ｃ及び貫通孔４１ｂがなく、突出部４１ｃ及び孔２４ａ２，２５ａ２が設けられている。
【００５１】
突出部４１ｃは、上記第１実施形態の貫通孔４１ｂの位置にて、基板４１の上面から上方に垂直に立設している。突出部４１ｃは、その横断面形状が円形であって、その先端部を半球状に形成した棒状部材であり、ベース部４２ｂの貫通孔４２ｂ２を貫通して孔２４ａ２，２５ａ２内に侵入している。孔２４ａ２，２５ａ２は、前側支持部２４及び後側支持部２５の本体部２４ａ，２５ａの下面から上方に垂直に延設されて形成された、横断面形状を円形とする有底の孔である。突出部４１ｃの先端部を除く部分の直径は、ドーム部品４２の貫通孔４２ｂ２の直径より僅かに大きく、孔２４ａ２，２５ａ２の直径よりも小さい。なお、この第２実施形態では、突出部４１ｃは、基板４１とは別体の樹脂成形部材であり、基板４１に一体的に固定されている。しかし、突出部４１ｃを基板４１と一体成形可能であれば、突出部４１ｃは基板４１と一体でもよい。そして、他の構成に関しては、上記第１実施形態の場合と同様であるので、同一部分には同一符号を付してその説明を省略する。
【００５２】
この第２実施形態に係る基板４１及びドーム部品４２の鍵フレーム２０（前側支持部２４及び後側支持部２５）に対する組み付けについて説明しておく。作業者は、まず、複数のドーム部品４２を、それらの貫通孔４２ｂ２の位置を基板４１の突出部４１ｃの位置に合わせて押し下げて、突出部４１ｃを、ドーム部品４２におけるベース部４２ｂの貫通孔４２ｂ２内に侵入させるとともにベース部４２ｂから上方に突出させる。そして、ベース部４２ｂの下面を基板４１の上面に押し当てる。この場合、突出部４１ｃの外径は貫通孔４２ｂ２の内径よりも僅かに大きいので、突出部４１ｃは貫通孔４２ｂ２に圧入されてドーム部品４２は、基板４１に仮固定される。
【００５３】
次に、作業者は、ベース部４２ｂから上方に突出した突出部４１ｃを前側支持部２４の孔２４ａ２及び後側支持部２５の孔２５ａ２の位置に合わせるとともに、基板４１の前端が上方になるように斜めにして基板４１を下方から持ち上げる。そして、突出部４１ｃを孔２４ａ２，２５ａ２内に侵入させながら、基板４１の前端部を前側支持部２４の係合部２４ｂの水平部の上面に載置する。その後、作業者は、上記第１実施形態と同様な作業により、基板４１の後端部を係合部２５ｂに係合させて、ドーム部品４２及び基板４１を前側支持部２４及び後側支持部２５に組み付ける。このように、基板４１の前側支持部２４及び後側支持部２５への組み付け時には、突出部４１ｃを孔２４ａ２，２５ａ２に侵入させ、また突出部４１ｃ及び孔２４ａ２，２５ａ２は基板４１の前側支持部２４及び後側支持部２５に対する位置決め機能も発揮するので、突出部４１ｃの先端部を除く部分の直径は孔２４ａ２，２５ａ２の直径よりも若干小さく、かつ大き過ぎないように設定しておくとよい。また、このような構成の第２実施形態に係る鍵盤装置の動作も、上記第１実施形態の場合と同じであるので、その説明を省略する。
【００５４】
このように構成されかつ動作する第２実施形態に係る鍵盤装置においても、白鍵１１ｗ及び黒鍵１１ｂの押離鍵操作によってドーム部４２ａが押圧されたときには、ベース部４２ｂが、基板４１の前側支持部２４及び後側支持部２５に対する上下方向の動きを吸収して緩和する。したがって、第２実施形態によっても、白鍵１１ｗ及び黒鍵１１ｂの押離鍵操作における、基板４１の前端部及び後端部の下面と、前側支持部２４及び後側支持部２５の係合部２４ｂ，２５ｂとの間の衝突による機械的な雑音の発生が軽減される。特に、この場合も、前側支持部２４及び後側支持部２５の本体部２４ａ，２５ａの下面には突起２４ａ１，２５ａ１が設けられているので、前記機械的な雑音発生の軽減効果は大きい。
【００５５】
また、この第２実施形態においても、ドーム部品４２は一体形成されるものであるとともに、ドーム部品４２及び基板４１が係合部２４ｂ，２５ｂにより前側支持部２４及び後側支持部２５に前記第１実施形態と同様に組み付けられるだけであるので、基板４１、ドーム部品４２、前側支持部２４及び後側支持部２５を含む鍵盤装置は、簡単かつ安価に製造される。また、この第２実施形態においては、ベース部４２ｂに設けた貫通孔４２ｂ２内に基板４１に設けた突出部４１ｃを圧入して侵入させることにより、ドーム部品４２を基板４１に仮固定するようにしたので、ドーム部品４２の基板４１に対する組み付けがより簡単になるとともに、ドーム部品４２の基板４１に対する組み付け位置の精度も良好となる。
【００５６】
さらに、基板４１に設けた突出部４１ｃを前側支持部２４の本体部２４ａの孔２４ａ２及び後側支持部２５の本体部２５ａの孔２５ａ２の位置に合わせて、孔２４ａ２，２５ａ２内に突出部４１ｃを侵入させるとともに、係合部２４ｂ，２５ｂにより基板４１を前側支持部２４及び後側支持部２５に固定するようにしたので、基板４１の前側支持部２４及び後側支持部２５に対する組み付けが簡単になるとともに、基板４１の前側支持部２４及び後側支持部２５に対する組み付け位置が的確になる。
【００５７】
なお、前記第２実施形態においては、突出部４１ｃの先端部を除く部分の直径をベース部４２ｂの貫通孔４２ｂ２の直径よりも僅かに大きくして、突出部４１ｃを貫通孔４２ｂ２に圧入してドーム部品４２を基板４１に仮固定するようにした。しかし、突出部４１ｃの先端部を除く部分の直径をベース部４２ｂの貫通孔４２ｂ２の直径とほぼ等しく又は前記直径よりも小さくしてもよい。この場合、基板４１上にドーム部品４２を位置決めして載置した後に、基板４１及びドーム部品４２を前側支持部２４及び後側支持部２５に組み付け固定するとよい。
【００５８】
また、前記第２実施形態においては、突出部４１ｃを前側支持部２４の孔２４ａ２及び後側支持部２５の孔２５ａ２内に侵入させるようにした。しかし、これに代えて、孔２４ａ２，２５ａ２を用いることなく基板４１の位置決めを行うようにすれば、突出部４１ｃをベース部４２ｂの貫通孔４２ｂ２にのみ侵入させるようにしてもよい。この場合、ベース部４２ｂの貫通孔４２ｂ２に代えて、ベース部４２ｂに突出部４１ｃが侵入する有底の孔を設けるようにしてもよい。また、前側支持部２４の本体部２４ａ及び後側支持部２５の本体部２５ａに孔２４ａ２，２５ａ２を設ける必要もない。これらの場合、突出部４１ｃの長さは、前記第２実施形態の場合よりも短くなる。また、前記第２実施形態において、前側支持部２４の本体部２４ａ及び後側支持部２５の本体部２５ａに設けた有底の孔２４ａ２，２５ａ２を、本体部２４ａ，２５ａの下面から上面まで貫通する貫通孔にしてもよい。
【００５９】
ｃ．第３実施形態
次に、図７を用いて、本発明の第３実施形態に係る鍵盤装置について説明する。図７も、図３（Ａ）の縦断面図に対応させて、第３実施形態に係る鍵盤装置の基板４１、ドーム部品４２、前側支持部２４、後側支持部２５などの部分の拡大縦断面図である。この第３実施形態に係る鍵盤装置においては、上記第１実施形態の突出部２４ｃ，２５ｃ及び貫通孔４２ｂ２がなく、突出部４２ｂ４，４２ｂ５及び孔２４ａ３，２５ａ３が設けられている。
【００６０】
突出部４２ｂ４は、上記第１実施形態の貫通孔４２ｂ２の位置にて、ドーム部品４２のベース部４２ｂの上面から上方に垂直に立設している。突出部４２ｂ４は、ベース部４２ｂと一体形成され、その横断面形状が円形であって、その先端部を半球状に形成した棒状部材であり、孔２４ａ３，２５ａ３内に侵入している。孔２４ａ３，２５ａ３は、上記第１実施形態の突出部２４ｃ，２５ｃの位置にて、前側支持部２４及び後側支持部２５の本体部２４ａ，２５ａの下面から上方に垂直に延設されて形成された、横断面形状を円形とする有底の孔である。突出部４２ｂ４の先端部を除く直径は、孔２４ａ３，２５ａ３の直径より僅かに大きい。
【００６１】
突出部４２ｂ５は、上記第１実施形態の貫通孔４２ｂ２の位置にて、ドーム部品４２のベース部４２ｂの下面から下方に垂直に立設している。突出部４２ｂ５は、ベース部４２ｂと一体形成され、その横断面形状が円形であって、その先端部を半球状に形成した棒状部材であり、基板４１に設けた貫通孔４１ｂ内に侵入している。突出部４２ｂ５の先端部を除く部分の直径は、貫通孔４１ｂの直径より僅かに大きい。そして、他の構成に関しては、上記第１実施形態の場合と同様であるので、同一部分には同一符号を付してその説明を省略する。
【００６２】
この第３実施形態に係る基板４１及びドーム部品４２の鍵フレーム２０（前側支持部２４及び後側支持部２５）に対する組み付けについて説明しておく。この場合、２つの組み付け方法が考えられるが、まず、第１の組み付け方法について説明する。作業者は、複数のドーム部品４２を、それらの突出部４２ｂ４の位置を孔２４ａ３，２５ａ３の位置に合わせて押し上げて、突出部４２ｂ４を孔２４ａ３，２５ａ３内に侵入させる。そして、ドーム部品４２のベース部４２ｂの上面を前側支持部２４の本体部２４ａ及び後側支持部２５の本体部２５ａの両下面に押し当てる。この場合、突出部４２ｂ４の外径は孔２４ａ３，２５ａ３の内径よりも僅かに大きいので、突出部４２ｂ４は孔２４ａ３，２５ａ３に圧入されて、ドーム部品４２は前側支持部２４の本体部２４ａ及び後側支持部２５の本体部２５ａに仮固定される。
【００６３】
次に、作業者は、突出部４２ｂ５の位置を基板４１の貫通孔４１ｂの位置に合わせるとともに、基板４１の前端が上方になるように斜めにして基板４１を下方から持ち上げる。そして、突出部４２ｂ５を貫通孔４１ｂ内に侵入させながら、基板４１の前端部を前側支持部２４の係合部２４ｂの水平部の上面に載置する。なお、この場合における突出部４２ｂ５の貫通孔４１ｂ内への侵入は圧入である。その後、作業者は、上記第１実施形態と同様な作業により、基板４１の後端部を係合部２４ｂに係合させて、ドーム部品４２及び基板４１を前側支持部２４及び後側支持部２５に組み付ける。
【００６４】
次に、第２の組み付け方法について説明する。作業者は、複数のドーム部品４２を、それらの突出部４２ｂ５の位置を基板４１の貫通孔４１ｂの位置に合わせて押し下げて、突出部４２ｂ５を貫通孔４１ｂ内に侵入させるとともに基板４１から下方に突出させる。そして、ドーム部品４２のベース部４２ｂの下面を基板４１の上面に押し当てる。この場合、突出部４２ｂ５の外径は貫通孔４１ｂの内径よりも僅かに大きいので、突出部４２ｂ５は貫通孔４１ｂに圧入されて、ドーム部品４２は基板４１に仮固定される。
【００６５】
次に、作業者は、突出部４２ｂ４の位置を孔２４ａ３，２５ａ３の位置に合わせるとともに、基板４１の前端が上方になるように斜めにして基板４１をドーム部品４２と共に下方から持ち上げる。そして、突出部４２ｂ４を孔２４ａ３，２５ａ３内に侵入させながら、基板４１の前端部を前側支持部２４の係合部２４ｂの水平部の上面に載置する。なお、この場合における突出部４２ｂ４の孔２４ａ３，２５ａ３内への侵入は圧入である。その後、作業者は、上記第１実施形態と同様な作業により、基板４１の後端部を係合部２４ｂに係合させて、ドーム部品４２及び基板４１を前側支持部２４及び後側支持部２５に組み付ける。なお、このような構成の第３実施形態に係る鍵盤装置の動作も、上記第１実施形態の場合と同じであるので、その説明を省略する。
【００６６】
このように構成されかつ動作する第３実施形態に係る鍵盤装置においても、白鍵１１ｗ及び黒鍵１１ｂの押離鍵操作によってドーム部４２ａが押圧されたときには、ベース部４２ｂが、基板４１の前側支持部２４及び後側支持部２５に対する上下方向の動きを吸収して緩和する。したがって、第３実施形態によっても、白鍵１１ｗ及び黒鍵１１ｂの押離鍵操作における、基板４１の前端部及び後端部の下面と前側支持部２４及び後側支持部２５の係合部２４ｂ，２５ｂとの間の衝突による機械的な雑音の発生が軽減される。特に、この場合も、前側支持部２４及び後側支持部２５の本体部２４ａ，２５ａの下面には突起２４ａ１，２５ａ１が設けられているので、前記機械的な雑音発生の軽減効果は大きい。
【００６７】
また、この第３実施形態においても、ドーム部品４２は一体形成されるものであるとともに、ドーム部品４２及び基板４１が係合部２４ｂ，２５ｂにより前側支持部２４及び後側支持部２５に前記第１実施形態と同様に組み付けられるだけであるので、基板４１、ドーム部品４２、前側支持部２４及び後側支持部２５を含む鍵盤装置は、簡単かつ安価に製造される。また、この第３実施形態においては、ベース部４２ｂに設けた突出部４２ｂ４を前側支持部２４の本体部２４ａに設けた孔２４ａ３及び後側支持部２５の本体部２５ａに設けた孔２５ａ３内に圧入により侵入させ、かつベース部４２ｂに設けた突出部４２ｂ５を基板４１に設けた貫通孔４１ｂ内に圧入により侵入させて、ドーム部品４２及び基板４１を前側支持部２４及び後側支持部２５に固定するようにしてので、ドーム部品４２及び基板４１の前側支持部２４及び後側支持部２５に対する組み付け位置の精度が良好となる。
【００６８】
なお、前記第２実施形態においては、突出部４２ｂ４の先端部を除く部分の直径を前側支持部２４の孔２４ａ３及び後側支持部２５の孔２５ａ３の直径よりも僅かに大きく、かつ突出部４２ｂ５の先端部を除く部分の直径を基板４１の貫通孔４１ｂの直径よりも僅かに大きくして、突出部４２ｂ４，４２ｂ５を孔２４ａ３，２５ａ３，４１ｂに圧入してドーム部品４２を前側支持部２４、後側支持部２５及び基板４１に固定するようにした。しかし、突出部４２ｂ４の先端部を除く部分の直径を孔２４ａ３，２５ａ３の直径とほぼ等しく又は前記直径よりも小さくしたり、突出部４２ｂ５の先端部を除く部分の直径を貫通孔４１ｂの直径とほぼ等しく又は前記直径よりも小さくしたりしてもよい。
【００６９】
特に、前述した第１の組み付け方法によって基板４１及びドーム部品４２を前側支持部２４及び後側支持部２５に組み付ける場合には、突出部４２ｂ５を貫通孔４１ｂ内に圧入しながら、基板４１の前端部を前側支持部２４の係合部２４ｂの水平部の上面に載置するとともに、基板４１の後端部を後側支持部２５の係合部２５ｂに係合させることは簡単ではないので、突出部４２ｂ５の先端部を除く部分の直径を貫通孔４１ｂの直径より小さくするとよい。また、前述した第２の組み付け方法によって基板４１及びドーム部品４２を前側支持部２４及び後側支持部２５に組み付ける場合には、突出部４２ｂ４を孔２４ａ３，２５ａ３内に圧入しながら、基板４１の前端部を前側支持部２４の係合部２４ｂの水平部の上面に載置するとともに、基板４１の後端部を後側支持部２５の係合部２５ｂに係合させることは簡単ではないので、突出部４２ｂ４の先端部を除く部分の直径を孔２４ａ３，２５ａ３の直径より小さくするとよい。
【００７０】
さらに、前記第３実施形態においては、前側支持部２４の本体部２４ａ及び後側支持部２５の本体部２５ａに有底の孔２４ａ３，２５ａ３を設けるようにした。しかし、これに代えて、孔２４ａ３，２５ａ３を本体部２４ａ，２５ａの下面から上面まで貫通する貫通孔で構成してもよい。また、前記第３実施形態においては、突出部４２ｂ４と突出部４２ｂ５とをベース部４２ｂの上面及び下面の対向位置に設けるようにしたが、突出部４２ｂ４と突出部４２ｂ５とを対向位置に設けなくてもよい。また、突出部４２ｂ４の数と突出部４２ｂ５の数とが異なっていてもよい。ただし、この場合、孔２４ａ３，２５ａ３及び貫通孔４１ｂを、突出部４２ｂ４及び突出部４２ｂ５にそれぞれ対応させて設けるようにする。
【００７１】
ｄ．第４実施形態
次に、図８を用いて、本発明の第４実施形態に係る鍵盤装置について説明する。図８も、図３（Ａ）の縦断面図に対応させて、第４実施形態に係る鍵盤装置のドーム部品４３、支持板４４、前側支持部２４、後側支持部２５などの部分の拡大縦断面図である。この第４実施形態に係る鍵盤装置においては、ドーム部品４３が上記第１実施形態のドーム部品４２とは異なるとともに、ドーム部品４３を支持する支持板４４も上記第１実施形態の基板４１とは異なる。
【００７２】
このドーム部品４３も、上記第１実施形態のドーム部４２ａ、ベース部４２ｂ及びトップ部４２ｃとそれぞれほぼ同様なドーム部４３ａ、ベース部４３ｂ及びトップ部４３ｃを備えている。ただし、ドーム部品４３は、白鍵１１ｗ及び黒鍵１１ｂの押鍵操作に対して反力を発生する反力発生部材として機能するもので、上記第１実施形態の突出部４２ｄ及びスイッチ部４２ｅを有していない。すなわち、ドーム部４３ａは、上記第１実施形態のドーム部４２ａとほぼ同様な形状を有するが、上方からの押圧力の増加により弾性変形して反力を徐々に増加させるとともに、反力がピークに達した後に座屈変形によって反力を急激に減少させる（図示２点鎖線参照）。そのために、ドーム部品４３は、上記第１実施形態のドーム部品４２とは弾性体の材料の硬度を異ならせていたり、ドーム部４３ａは、上記第１実施形態のドーム部２２とは肉厚を異ならせていたりする。他のドーム部品４３の構成は上記第１実施形態のドーム部品４２と同じである。
【００７３】
支持板４４は、上記第１実施形態のように電子部品が配置されたものではなく、単にドーム部品（反力発生部材）４３を支持する。したがって、この支持板４４は、電気接点４１ａを有しておらず、樹脂により一体成形されている。ただし、この支持板４４の形状は上記第１実施形態の基板４１と同じであり、上記第１実施形態の貫通孔４１ｂと同様な貫通孔４４ｂも備えている。そして、ドーム部品４３及び支持板４４以外の鍵盤装置の構成に関しては上記第１実施形態と同様であるので、同一部分には同一符号を付してその説明を省略する。また、ドーム部品４３及び支持板４４の前側支持部２４及び後側支持部２５への組み付け方法に関しても上記第１実施形態と同じであるので、その説明を省略する。なお、この第３実施形態に係る鍵盤装置においては、上記第１実施形態の基板４１及びドーム部品４２のようにスイッチ部材として機能する部品が別途設けられているが、これらの部品に関しては図示省略されている。
【００７４】
このように構成した第４実施形態に係る鍵盤装置の動作について説明する。演奏者が白鍵１１ｗ及び黒鍵１１ｂを押し始めると、白鍵１１ｗ及び黒鍵１１ｂは上記第１実施形態の場合と同様に揺動を開始して、白鍵１１ｗ及び黒鍵１１ｂの前端部が下方に変位する。そして、最終的には、白鍵１１ｗ及び黒鍵１１ｂの前端下面が下限ストッパ部材３５ｗ，３５ｂに当接して、白鍵１１ｗ及び黒鍵１１ｂの揺動は終了する。一方、押鍵されていた白鍵１１ｗ及び黒鍵１１ｂが離鍵されると、上記第１実施形態の場合と同様に、前端部は上方に変位して、係合部１１ｗ２，１１ｂ２が上限ストッパ部材３４ｗ，３４ｂに当接して、白鍵１１ｗ及び黒鍵１１ｂは離鍵状態に戻る。この白鍵１１ｗ及び黒鍵１１ｂの押離鍵動作時に、図示省略したスイッチ部材により、楽音信号の発生停止が制御される。
【００７５】
このような白鍵１１ｗ及び黒鍵１１ｂの押鍵操作時に、ドーム部品４３は押鍵操作に対する反力を発生する。すなわち、押圧部１１ｗ３，１１ｂ３がドーム部品４３のトップ部４３ｃを押圧し始めると、ドーム部品４３のドーム部４３ａは全周に渡ってほぼ均等に変形し始めて、演奏者は、スプリング３３ｗ，３３ｂによる反力に加えて、ドーム部品４３によって徐々に増加する反力を感じ始める。白鍵１１ｗ及び黒鍵１１ｂがさらに押されると、ドーム部品４３の反力がピークに達して、その後に、ドーム部４３ａが全周に渡って座屈変形し始める（図示２点鎖線参照）。これにより、演奏者の押鍵に対するドーム部品４３の反力は急激に減少し、演奏者は明確なクリック感を感じる。このような反力により、演奏者はピアノの演奏と同様な感覚を得ることができる。
【００７６】
このように構成されるとともに動作する鍵盤装置においても、ドーム部品４３、支持板４４、前側支持部２４及び後側支持部２５の構成及び組み立ては上記第１実施形態の場合と同じである。したがって、この第４実施形態に係る鍵盤装置においても、上述した第１実施形態と同じ効果が期待される。
【００７７】
また、前記第４実施形態では、上記第１実施形態のドーム部品４２及び基板４１を、反力発生部材として機能するドーム部品４３及び支持板４４に変更した例について説明した。しかし、上述した第２及び第３実施形態のドーム部品４２及び基板４１を、前述した反力発生部材として機能するドーム部品４３及び支持板４４のように変更するようにしてもよい。すなわち、上記第２実施形態における上記第１実施形態に対する変更部分（突出部４１ｃ、孔２４ａ２，２５ａ２など）を、ドーム部品４３及び支持板４４を有する前記第４実施形態に適用するようにしてもよい。この場合、突出部４１ｃに関しては、支持板４４と樹脂により一体成形した突出部に変更するとよい。また、上記第３実施形態における上記第１実施形態に対する変更部分（突出部４２ｂ４，４２ｂ５、孔２４ａ３，２５ａ３、貫通孔４１ｂなど）を、ドーム部品４３及び支持板４４を有する前記第４実施形態に適用するようにしてもよい。これらの変形例によれば、上述した第２及び第３実施形態と同じ効果が期待される。
【００７８】
ｄ１．変形例  
次に、前記第４実施形態の変形例１，２について説明する。前記第４実施形態の場合、ドーム部品４３のドーム部４３ａ及びトップ部４３ｃの軸心は、上板部２１及び支持板４４の上面及び下面に垂直、すなわち水平面に対して垂直である。しかし、この種のドーム部品４３は、白鍵１１ｗ及び黒鍵１１ｂの押鍵時に、白鍵１１ｗ及び黒鍵１１ｂの押圧部の回転方向に押圧されることが望ましい。すなわち、ドーム部品４３のドーム部４３ａ及びトップ部４３ｃの軸心Ｙｄを押圧方向に一致させることが好ましい。そのために、ドーム部４３ａ及びトップ部４３ｃの軸心Ｙｄが垂直方向（水平面に対して垂直である方向）に対して上方にて前側に傾斜するように、ドーム部品４３を、前側支持部２４の本体部２４ａ及び後側支持部２５の本体部２５ａの下面と、支持板４４の上面との間に固定する必要がある。
【００７９】
図９は、図８の縦断面図に対応させて、前記のように変形した変形例１に係る鍵盤装置のドーム部品４３、支持板４４、前側支持部２４、後側支持部２５などの部分の拡大縦断面図である。この変形例１に係る鍵盤装置においては、ドーム部品４３、前側支持部２４及び後側支持部２５が、前記第４実施形態の場合とは異なる。ドーム部品４３においては、べース部４３ｂの後端部がべース部４３ｂの前端部に比べて厚肉に構成されている。べース部４３ｂの上面及び下面はそれぞれ平面であり、ドーム部４３ａ及びトップ部４３ｃの軸心Ｙｄは、べース部４３ｂの上面と直交するが、べース部４３ｂの下面に対して、上方にて前側に位置するように傾斜している。また、べース部４３ｂに設けた貫通孔４３ｂ２においては、その上端及び下端の形状は円形であるが、貫通孔４３ｂ２の上端の内径は貫通孔４３ｂ２の下端の内径よりも小さい。そして、前記上端の内径は突出部２４ｃ，２５ｃの外径よりも若干小さく、前記下端の内径は突出部２４ｃ，２５ｃの外径よりも若干大きい。また、貫通孔４３ｂ２の図示右内側面は軸心Ｙｄと平行に延設されているが、貫通孔４３ｂ２の図示左内側面は軸心Ｙｄに対して下方にて図示左側に傾斜している。これは、ドーム部品４３を樹脂成型する際に、上下金型をべース部４３ｂの上面を境にドーム部４３ａの軸心Ｙｄ方向に抜き取るからである。
【００８０】
前側支持部２４及び後側支持部２５においては、それらの本体部２４ａ，２５ａの下面が、前端を後端よりも低くして傾斜している。これらの本体部２４ａ，２５ａの下面は同一平面内に位置しており、上板部２１の上面に対する本体部２４ａ，２５ａの下面の傾斜角度は、べース部４３ｂの下面に対するべース部４３ｂの上面の傾斜角度に等しい（すなわち、軸心Ｙｄと上板部２１の上面の垂直線とが成す角度に等しい）。なお、突出部２４ｃ，２５ｃは、上板部２１の上面に対して垂直に、本体部２４ａ，２５ａの下面から下方に突出している。他の構成は、前記第４実施形態と同じであるので、同一の符号を付して、その説明を省略する。また、ドーム部品４３及び支持板４４の前側支持部２４及び後側支持部２５に対する組付けに関しても、前記第４実施形態と同様であるので、その説明を省略する。
【００８１】
このように構成した変形例１においては、べース部４３ｂの下面を支持板４４の上面に密着させるとともに、べース部４３ｂの上面を前側支持部２４の本体部２４ａ及び後側支持部２５の本体部２５ａの下面に密着させて、ドーム部品４３を前側支持部２４及び後側支持部２５と支持板４４との間に固定すれば、ドーム部４３ａ及びトップ部４３ｃの軸Ｙｄ心が垂直方向に対して上方にて前側に傾斜する。したがって、白鍵１１ｗ及び黒鍵１１ｂの押圧部の回転方向が下方にて後側に傾いていても、ドーム部品４３はドーム部４３ａ及びトップ部４３ｃの軸心Ｙｄ方向に押圧されるようになる。この点以外の作用効果は前記第４実施形態の場合と同じである。
【００８２】
図１０は、図８の縦断面図に対応させて、前記のように変形した変形例２に係る鍵盤装置のドーム部品４３、支持板４４、前側支持部２４、後側支持部２５などの部分の拡大縦断面図である。この変形例２に係る鍵盤装置においても、ドーム部品４３、前側支持部２４及び後側支持部２５が、前記第４実施形態の場合とは異なる。ドーム部品４３においては、べース部４３ｂに設けた貫通孔４３ｂ２が、前記変形例１の場合と同様に構成されている。すなわち、貫通孔４３ｂ２の上端の内径は貫通孔４３ｂ２の下端の内径よりも大きい。そして、前記上端の内径は突出部２４ｃ，２５ｃの外径よりも若干小さく、前記下端の内径は突出部２４ｃ，２５ｃの外径よりも若干大きい。また、貫通孔４３ｂ２の図示右内側面は軸心Ｙｄと平行に延設されているが、貫通孔４３ｂ２の図示左内側面は軸心Ｙｄに対して下方にて図示左側に傾斜している。他のドーム部品４３の構成は、前記第４実施形態の場合と同じである。
【００８３】
前側支持部２４及び後側支持部２５においては、前記変形例１と同様に、それらの本体部２４ａ，２５ａの下面が、前端を後端よりも低くして傾斜している。そして、これらの本体部２４ａ，２５ａの下面は同一平面内に位置しており、上板部２１の上面に対する本体部２４ａ，２５ａの下面の傾斜角度は、ドーム部４３ａ及びトップ部４３ｃの軸心Ｙｄと上板部２１の上面の垂直線とが成す角度に等しい。なお、突出部２４ｃ，２５ｃは、上板部２１の上面に対して垂直に、本体部２４ａ，２５ａの下面から下方に突出している。また、この変形例２では、前側支持部２４の係合部２４の下端部が後側支持部２５の係合部２５ｂの下端部よりも低く位置する。そして、係合部２４ｂにおける垂直部の下端から後方に水平に延設させた水平部の上面と、係合部２５ｂに垂直部の下端から前方に水平に延設させた水平部の上面とを結ぶ平面は、本体部２４ａ，２５ａの下面と平行である。他の構成は、前記第４実施形態と同じであるので、同一の符号を付して、その説明を省略する。また、ドーム部品４３及び支持板４４の前側支持部２４及び後側支持部２５に対する組付けに関しても、前記第４実施形態と同様であるので、その説明を省略する。
【００８４】
このように構成した変形例２においても、べース部４３ｂの下面を支持板４４の上面に密着させるとともに、べース部４３ｂの上面を前側支持部２４の本体部２４ａ及び後側支持部２５の本体部２５ａの下面に密着させて、ドーム部品４３を前側支持部２４及び後側支持部２５と支持板４４との間に固定すれば、べース部４３ｂ及び支持板４４の板厚は全面に渡って均等であるので、ドーム部４３ａ及びトップ部４３ｃの軸Ｙｄ心が垂直方向に対して上方にて前側に傾斜する。したがって、この変形例２においても、白鍵１１ｗ及び黒鍵１１ｂの押圧部の回転方向が下方にて後側に傾いていても、ドーム部品４３はドーム部４３ａ及びトップ部４３ｃの軸心Ｙｄ方向に押圧されるようになる。この点以外の作用効果を前記第４実施形態の場合と同じである。
【００８５】
また、前記第４実施形態の変形例で説明したように、上述した第２及び第３実施形態のドーム部品４２及び基板４１を、反力発生部材として機能する前述した変形例１，２に係るドーム部品４３及び支持板４４のように変更するようにしてもよい。さらに、上記第１乃至第３実施形態のスイッチ機能を有するドーム部品４２及び基板４１を、前記反力発生部材として機能する第４実施形態及びその変形例１，２のように、ドーム部品４２のドーム部４２ａの軸心を垂直に対して傾けるように変形してもよい。
【００８６】
ｅ．他の変形例及び適用例
次に、他の変形例及び適用例について説明する。上記第１乃至第４実施形態及びそれらの変形例においては、前側支持部２４及び後側支持部２５の本体部２４ａ，２５ａの下面であって、ドーム部品４２，４３のベース部４２ｂ，４３ｂの上面に当接する下面に、ベース部４２ｂ，４３ｂの上面部を押し込む突起２４ａ１，２５ａ１を設けるようにした。しかし、この突起２４ａ１，２５ａ１に代え又は加えて、基板４１及び支持板４４の上面であって、ドーム部品４２，４３のベース部４２ｂ，４３ｂの下面に当接する上面に、ベース部４２ｂ，４３ｂの下面部を押し込む突起をそれぞれ設けるようにしてもよい。これによっても、上述したように、突起に対応した位置のベース部４２ｂ，４３ｂが変形し易くなるので、機械的な雑音発生の軽減効果は大きい。
【００８７】
また、これらの突起に代え又は加えて、ドーム部品４２，４３のベース部４２ｂ，４３ｂの上面であって、前側支持部２４及び後側支持部２５の本体部２４ａ，２５ａの下面に当接する上面に、突起を設けるようにしてもよい。また、ドーム部品４２，４３のベース部４２ｂ，４３ｂの下面であって、基板４１及び支持板４４の上面に当接する下面に、突起を設けるようにしてもよい。これらのベース部４２ｂ，４３ｂの上面及び下面に設けた突起は、ベース部４２ｂ，４３ｂと一体形成された弾性体であるので、これらの場合には、本体部２４ａ，２５ａの下面、並びに基板４１及び支持板４４の上面に押されて、突起自身が変形する。しかし、これらによっても、上述したように、突起自身の変形により、機械的な雑音発生の軽減効果は大きい。
【００８８】
また、上記第１乃至第４実施形態の突起２４ａ１，２５ａ１及び前記各種変形例に係る突起の形状は、円錐状に限らず、円錐台状、角錐状、角錐台状、半球状、円筒状などの他の形状であってもよい。
【００８９】
また、上記第１乃至第４実施形態及びそれらの変形例においては、突出部２４ｃ，２５ｃ，４１ｃ、４２ｂ４，４２ｂ５の断面形状を円形としたが、これらの断面形状は、円形に限らず、楕円上、長円状など種々の形状が考えられる。ただし、この場合、貫通孔４２ｂ２，４１ｂ，４３ｂ２，４４ｂ及び孔２４ａ２，２５ａ２，２４ａ３，２５ａ３の断面形状を、前記突出部２４ｃ，２５ｃ，４１ｃ、４２ｂ４，４２ｂ５の形状に対応させる必要がある。
【００９０】
また、上記第１乃至第４実施形態及びそれらの変形例においては、ドーム部４２ａ，４３ａの軸心に直交する断面形状を円形にした。しかし、この断面形状は円形に限らず、楕円形、長楕円形などでもよい。なお、この場合も、ドーム部４２ａ，４３ａは、周方向の全体に渡り、下方に向かって径方向長さを徐々に増加させた形状である。
【００９１】
また、上記第１乃至第４実施形態及びそれらの変形例においては、白鍵１１ｗ及び黒鍵１１ｂを鍵支持部３１の突出部３１ａの中心軸回りに揺動させるようにした例について説明した。しかし、これに限らず、白鍵１１ｗ及び黒鍵１１ｂの後端に板状の薄肉部を設け、薄肉部の後端を支持部材に支持させることにより、薄肉部の弾性変形により白鍵１１ｗ及び黒鍵１１ｂを揺動させるようにしたヒンジ型の揺動支点を利用するものでもよい。
【００９２】
また、上記第１乃至第３実施形態及びそれらの変形例においては、ドーム部品４２はドーム型スイッチ部材であり、かつ第４実施形態及びその変形例においては、ドーム部品４３が反力発生部材であった。しかし、一つのドーム部品をドーム型スイッチ部材として機能させるとともに、反力発生部材としても機能させるようにしてもよい。この場合、ドーム部４２ａ，４３ａを内側部分と外側部分との２段構成とし、内側部分と外側部分との間に円筒状の変形量の少ないスイッチ部分を設ける。そして、外側部分の変形により押鍵に対して増加する反力を発生するとともに、スイッチ部分で基板に設けた接点を開閉するようにし、かつ内側部分の変形により座屈変形を伴う押鍵に対する反力を発生するようにするとよい。
【００９３】
また、上記第１乃至第４実施形態及びそれらの変形例においては、白鍵１１ｗ及び黒鍵１１ｂによりドーム部品４２，４３を直接押圧するようにした。しかし、白鍵１１ｗ及び黒鍵１１ｂの揺動により連動して揺動する揺動体が間接的にドーム部品４２，４３を押圧するようにした鍵盤装置にも、本発明に係る操作子連動装置は適用され得る。すなわち、白鍵１１ｗ及び黒鍵１１ｂの揺動により連動して揺動する揺動体（例えば、ハンマー）を設け、揺動体に押圧部を設けるとともに、押圧部に対向する位置に基板４１、支持板４４及びドーム部品４２，４３を前側支持部２４及び後側支持部２５に支持固定するようにしてもよい。これによっても、白鍵１１ｗ及び黒鍵１１ｂの押離鍵操作に対して、上記第１乃至第４実施形態及びそれらの変形例と同様な効果を期待できる。
【００９４】
また、上記第１乃至第４実施形態及びそれらの変形例においては、ドーム部品４２，４３のドーム部４２ａ，４３ａの軸心が上下方向に延設されるように、ドーム部品４２，４３を固定する例について説明した。しかし、ドーム部４２ａ，４３ａの軸心が上下方向でない方向に延設されるように、ドーム部品４２，４３が固定される場合もある。例えば、白鍵１１ｗ及び黒鍵１１ｂの鍵支持部３１の近傍から白鍵１１ｗ及び黒鍵１１ｂの延設方向（すなわち水平方向）と異なる方向（例えば、直角方向）に一体的に延設する延設部材を白鍵１１ｗ及び黒鍵１１ｂに設けて、延設部材が白鍵１１ｗ及び黒鍵１１ｂの押鍵により延設方向とほぼ直角方向（例えば、略水平方向）に揺動するようにする。この場合、基板４１、支持板４４及びドーム部品４２，４３を、前記延設部材に対向する位置にて、上述した前側支持部２４及び後側支持部２５と同様に構成した支持部に固定すると、ドーム部４２ａ，４３ａの軸心が上下方向以外の方向（例えば、水平方向）となる。また、ハンマーなどの揺動体を用いる場合にも、揺動体の揺動方向によっては、ドーム部４２ａ，４３ａの軸心は上下方向以外の方向になるように、基板４１、支持板４４及びドーム部品４２，４３が上述した前側支持部２４及び後側支持部２５と同様に構成した支持部により固定されることになる。要するに、本発明においては、ドーム部４２ａ，４３ａの開口側にてドーム部品４２，４３を基板４１及び支持板４４を介して支持部に固定すればよく、ドーム部４２ａ，４３ａの軸心方向に関しては、上下方向以外の種々の方向が考えられる。なお、これらの場合における支持部の位置は、ドーム部品４２，４３の位置に依存する。
【００９５】
さらに、本発明に係るドーム部品４２，４３は、鍵盤装置の白鍵１１ｗ及び黒鍵１１ｂ以外の操作子にも適用され得る。すなわち、手、足などにより操作される操作子に対しても、上記第１乃至第４実施形態及びそれらの変形例のようなドーム部品４２，４３を用いて、操作子の操作を検出したり、操作子の操作に対して反力を与えたりするようにしてもよい。この場合も、ドーム部品４２，４３は、基板４１及び支持板４４を介して、上述した前側支持部２４及び後側支持部２５と同様に構成した支持部材に固定される。なお、この場合の操作子は、揺動中心を中心にして揺動するものに限らず、ドーム部４２ａ，４３ａの軸心方向に沿って平行移動するような操作子であってもよい。
【符号の説明】
【００９６】
１１ｗ…白鍵、１１ｂ…黒鍵、１１ｗ３，１１ｂ３…押圧部、２０…鍵フレーム、２１…上板部、２４…前側支持部、２５…後側支持部、２４ａ，２５ａ…本体部、２４ａ１，２５ａ１…突起、２４ａ２，２５ａ２，２４ａ３，２５ａ３…孔、２４ｂ，２５ｂ…係合部、２４ｃ，２５ｃ…突出部、４１…基板、４１ａ…電気接点、４１ｂ…貫通孔、４１ｃ…突出部、４２，４３…ドーム部品、４２ａ，４３ａ…ドーム部、４２ｂ，４３ｂ…ベース部、４２ｂ２，４３ｂ２…貫通孔、４２ｂ４，４２ｂ５…突出部、４２ｃ，４３ｃ…トップ部、４４… 支持板、４４ｂ…貫通孔
【図１】
2015185271.tif 000003
【図２】
2015185271.tif 000004
【図３】
2015185271.tif 000005
【図４】
2015185271.tif 000006
【図５】
2015185271.tif 000007
【図６】
2015185271.tif 000008
【図７】
2015185271.tif 000009
【図８】
2015185271.tif 000010
【図９】
2015185271.tif 000011
【図１０】
2015185271.tif 000012